(57)【特許請求の範囲】
【請求項１】
電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は接着剤によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えたことを特徴とする自動点滅器。
【請求項２】
電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は超音波溶着によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えたことを特徴とする自動点滅器。
【請求項３】
前記ベースの開口縁部および前記受光カバーの開口縁部に形成される嵌合部には、前記ベースの内部に対して少なくとも２重になる超音波溶着部が形成されていることを特徴とする請求項２記載の自動点滅器。
【発明の詳細な説明】
【０００１】
【発明の属する技術分野】
本発明は、周囲の外光（光量）を利用して電源と制御負荷との接続の開閉を行う自動点滅器に関するものである。
【０００２】
【従来の技術】
従来の自動点滅器は、例えば、器体を構成するボディ（ベース）およびカバーと、外光を取り込む受光カバーとを備え、電源および制御負荷である照明器具等にそれぞれ接続される複数の端子（端子ブロック）と、周囲の外光を検出し、その光量を利用して、電源に接続される端子と制御負荷に接続される端子との接続の開閉を行い、照明器具等を点滅させる開閉機能ブロック（回路ブロックまたは接点を含む機構部品）とを上記器体に内蔵して保持する構成になっている（特開２００１−５３５９７公報などを参照）。
【０００３】
一部、器体は乳白色のカバーからなり、このカバーを受光カバーと兼用する場合があるが、近年の電子式の自動点滅器では、従来の３６０度の光の検知ではなく、設定された検知範囲に対して受光を行うように、カバーと受光カバーとを分離して指向性を確保し、これにより耐誤動作性能を向上させている。
【０００４】
そして、このような従来の自動点滅器は屋外に設置されて使用されるが、例えば自動点滅器の設置の施工をする場合、またはこれを用いた街路灯または道路灯などの蛍光灯を交換するなどのメンテナンスを行う場合には、光を透過しない付属の袋を用いて受光カバーの部分を覆い、外光を遮断した状態で、自動点滅器の動作または蛍光灯などの点灯の確認が行われている。
【０００５】
【発明が解決しようとする課題】
しかし、上記従来の自動点滅器では、これを上記の如く屋外で使用する場合、内部に雨水などが浸入するという問題があった。
【０００６】
なお、街路灯または道路灯などの場合、遮光用の袋を出して受光カバーの部分に被せる作業は、面倒であってメンテナンスの作業性が悪く、また高所での作業としては好ましいものではない。
【０００７】
本発明は、上記事情に鑑みてなされたものであり、カバー（受光カバーおよびカバー）によって閉塞されるベースの開口縁部からその内部への水滴の侵入を阻止して、内部への雨水などの浸入を防止することができる自動点滅器を提供することを目的とする。
【０００８】
【課題を解決するための手段】
上記課題を解決するための請求項１記載の発明の自動点滅器は、電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は接着剤によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えたことを特徴とする。
【０００９】
請求項２記載の発明の自動点滅器は、電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は超音波溶着によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えたことを特徴とする。
【００１０】
請求項３記載の発明は、請求項２記載の自動点滅器において、前記ベースの開口縁部および前記受光カバーの開口縁部に形成される嵌合部には、前記ベースの内部に対して少なくとも２重になる超音波溶着部が形成されていることを特徴とする。
【００１１】
【発明の実施の形態】
図１は本発明に係る第１実施形態の自動点滅器を左方から見た断面図、図２は図１の自動点滅器の前面（正面）図、図３は図１の自動点滅器の分解斜視図、図４は図１に示すベースおよび受光カバーの嵌合部の拡大図であり、これらの図を参照しながら第１実施形態について説明する。
【００１２】
第１実施形態の自動点滅器は、図３に示すように、複数（４組あるが同図では１組みのみ図示）の端子ブロック１と、開閉機能ブロック２と、ベース３と、受光カバー４と、カバー５とにより構成され、断面Ｌ字状で一端部にねじ孔６ａが形成された板状の取付金具６を介して、例えば屋外に取り付けられて使用されるものである。
【００１３】
端子ブロック１は、ねじ１１、これが螺着される板状部１２および端子板１３により構成され、複数の端子ブロック１は、電源および制御負荷にそれぞれ接続されることになる。
【００１４】
開閉機能ブロック２は、実装基板２１、この一の面（前面）に実装される例えば外光の明るさに応じた電圧を発生する太陽電池からなる光起電力素子２２、および実装基板２１の他の面に実装されるリレー２３などにより構成される。実装基板２１には、図１に示すように、各端子板１３の一端が接続され、電源に接続される端子ブロック１と制御負荷に接続される端子ブロック１との間には、リレー２３が介設される。つまり、開閉機能ブロック２は、周囲の外光を利用して、電源に接続される端子ブロック１と制御負荷に接続される端子ブロック１との接続の開閉（リレー２３の接点の開閉）を行う構成になっている。さらに詳述すると、外光が規定の明るさ以下になると接点が閉状態になり、そうでなければ接点が開状態になるのである。なお、リレー２３に代えてスイッチング素子を使用する構成でもよい。
【００１５】
ベース３は、遮光性で例えば黒色の樹脂により前面に開口３ａを有する箱状に形成されて成り、複数の端子ブロック１および開閉機能ブロック２を内部に収容するものである。
【００１６】
図３の例では、ベース３の前面下方には、各端子ブロック１を収容する収容室３１が４室設けられており、各収容室３１の間は隔壁３２で仕切られ、各端子ブロック１がベース３の前面下方に絶縁状態で収容保持される構造になっている。
【００１７】
また、ベース３の前面上方には、一対の支持部３３および別の支持部３４が形成されている。そして、支持部３３の前方先端には、実装基板２１に形成された孔２１ａに填り込む突起３３ａが形成されている一方、支持部３４の前方先端には、実装基板２２に形成された孔２１ｂに挿通される図略のねじ用の穴３４ａが形成されている。これにより、各突起３３ａが各孔２１ａに填り込むように実装基板２２を支持部３１，３２で支持し、ねじを孔２１ｂに挿通してねじ止めすれば、開閉機能ブロック２がベース３に収容固定されることになる。
【００１８】
さらに、ベース３の後面には、後方に突出する支持部３５が形成され、この支持部３５には、図１に示すように、取付金具６の一端部の面と当該支持部３５の一の面とを合わせた状態で、取付ねじＳ１を挿通してねじ孔６ａで取付金具６およびベース３を互いにねじ止めするためのねじ挿通孔３５ａが形成されている。また、取付金具６を介してベース３が所定の取付部分（例えば玄関先の壁面または電柱など）に取り付けられた状態で、開閉機能ブロック２の光起電力素子２２が外光を受光する受光方向を、図１および図３に示すように、複数の方向のうちのいずれかの方向に固定するための複数の凹部３５ｂおよび１つの凸部６ｂが、それぞれ支持部３５の一の面および取付金具６の一端部の面に形成されている。これにより、凸部６ｂを複数の凹部３５ｂのいずれかに凹凸嵌合すれば、受光方向を複数の方向のうちのいずれかの方向に固定することができる。
【００１９】
受光カバー４は、透光性で透明の樹脂により後面に開口を有する箱状に形成されて成り、ベース３の開口３ａを閉塞するものである。なお、受光カバー４の詳細な説明は後述する。
【００２０】
カバー５は、遮光性で例えば黒色の樹脂により受光カバー４の前面を覆う箱状に形成されて成り、受光カバー４の前面に取り付けられる。このカバー５には、上部（第１カバー）５１と下部（第２カバー）５２との間に可撓部５３が形成されており、この可撓部５３を撓ませることにより、上部５１および下部５２の前面同士を当接させることができるようになっている。そして、図２に示すように、光起電力素子２２の前方に位置する上部５１の前面中央には、矩形状の孔５１ａが形成されている一方、下部５２の前面中央には、その孔５１ａに丁度填り込む矩形状の突条部５２ａが形成されている。また、上部５１における孔５１ａの上方中央には溝５１ｂが形成され、この溝５１ｂに臨む上部５１の縁部に掛止する先端に下向きの爪を有する掛止突片５２ｂが、下部５２前面の対応する位置に突設されている。さらに、図１に示すように、遮光片５４が上部５１の後面の下端側から後方に突設されている。これにより、下部５２の掛止突片５２ｂを溝５１ｂに臨む上部５１の縁部に掛止させて上部５１および下部５２の前面同士を当接させれば、そのとき突条部５２ａが孔５１ａに丁度填り込み、また遮光片５４によっても遮光されるから、光起電力素子２２に対して好適な遮光が可能になるとともに、施工時やメンテナンスのときに光を透過しない袋などを用いる必要がなくなり、作業性が向上する。
【００２１】
また、下部５２の開口縁部の左右には、後方に突出する、先端に外向きの爪を有する掛止突片５２ｃが一対後方に向けて突設されている。そして、各掛止突片５２ｃは、ベース３の開口縁部内側に形成され側壁に貫通する孔に挿通され、その孔の外側の縁部３６に先端外向きの爪が掛止するようになっている。これにより、各掛止突片５２ｃをベース３の開口縁部内側に形成された孔に挿通して、その外向きの爪をその孔の外側の縁部３６に掛止すれば、上部５１の孔５１ａを除き、ベース５の開口３ａ全体を閉塞することができる。なお、上部５１の側壁内側には、カバー５を受光カバー４の前面に取り付けるためのものであって、受光カバー４の側壁に形成された孔（図示せず）に填り込んで係止する突起５１ｃが複数形成されている。
【００２２】
ここで、受光カバー４について詳述すると、受光カバー４の前面中央には、カバー５の遮光片５４が填り込む溝４１が形成されており、その溝４１の下方であって、各端子ブロック１のねじ１１の前方に位置する受光カバー４の前面下部には、ドライバの先端を挿入するための孔４２が形成されている。一方、各端子ブロック１に接続される電線は、ベース３、受光カバー４およびカバー５により構成される器体の下側面から挿入されるようになっている。すなわち、ベース３の下側面に半円状の溝３７が形成されている。これにより、カバー５の下部５２を上述の如く開放した状態で、器体の下側面から電線を挿入し、ドライバの先端を対応する孔４２に挿通すれば、その電線の導体線を、これを挿入した位置にある端子ブロック１に接続固定することができる。
【００２３】
また、第１実施形態の特徴として、図４（ａ）に示すように、ベース３の開口縁部および受光カバー４の開口縁部には、それぞれ、溝３０ａ，４０ａを有しこれらの溝の各谷部に他方の一方の山部を嵌合することによって互いに嵌合する嵌合部３０，４０が、開口３ａの上側および左右側に連設されている。図４の例では、受光カバー４の嵌合部４０は、ベース３の嵌合部３０の内側の位置でその嵌合部３０と嵌合する構造になっている。そして、これら嵌合部３０，４０は、図４（ｂ）に示すように、接着剤Ａによって固着される。
【００２４】
このように、ベース３の開口縁部および受光カバー４の開口縁部にそれぞれ嵌合部３０，４０を設けると、受光カバー４およびカバー５によって閉塞されるベース３の開口縁部からその内部への水滴の侵入を、それら開口縁部に形成された嵌合部３０，４０によって阻止することができるから、内部への雨水などの浸入を防止することができ、しかも嵌合部３０，４０を固着する接着剤Ａによって防水効果がさらに高まるから、内部への雨水などの浸入をより好適に防止することができる。これにより、内部に収容される端子ブロック１などに対し、雨水などによる腐食や絶縁劣化などを防止することができる。
【００２５】
図５は本発明に係る第２実施形態の自動点滅器におけるベースおよび受光カバーの嵌合部の拡大図であり、この図を参照しながら第２実施形態について説明する。
【００２６】
第２実施形態の自動点滅器は、嵌合部３０，４０が接着剤Ａではなく超音波溶着によって固着される以外は、第１実施形態の自動点滅器と同様に構成される。第２実施形態では、図５の例に示すように、嵌合部３０の溝３０ａにおける内側の山部３０１の先端に超音波溶着用のリブ３０１ａが形成されている。
【００２７】
この第２実施形態でも、受光カバー４およびカバー５によって閉塞されるベース３の開口縁部からその内部への水滴の侵入を、それら開口縁部に形成された嵌合部３０，４０によって阻止することができるから、内部への雨水などの浸入を防止することができる。これにより、内部に収容される端子などに対し、雨水などによる腐食や絶縁劣化などを防止することができる。
【００２８】
図６は本発明に係る第３実施形態の自動点滅器におけるベースおよび受光カバーの嵌合部の拡大図であり、この図を参照しながら第３実施形態について説明する。
【００２９】
第３実施形態の自動点滅器は、嵌合部３０，４０が接着剤Ａではなく超音波溶着によって固着される以外は、第１実施形態の自動点滅器と同様に構成される。第３実施形態では、図６の例に示すように、嵌合部３０の溝３０ａにおける内側の山部３０１の先端に超音波溶着用のリブ３０１ａが形成されているとともに、その溝３０ａにおける谷部３００に別の超音波溶着用のリブ３００ａが形成されている。つまり、ベース３の内部に対して２重になるリブ３００ａ，３０１ａが形成されているのである。
【００３０】
この第３実施形態によれば、リブ３００ａ，３０１ａのうち、一のリブが例えば不完全溶着に起因して水滴の侵入を完全に阻止することができなかったとしても、残りのリブによってその水滴の内部への侵入を阻止することが可能となるから、内部への雨水などの浸入をより好適に防止することができる。
【００３１】
【発明の効果】
以上のことから明らかなように、請求項１記載の発明によれば、電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は接着剤によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えているので、受光カバーおよびカバーによって閉塞されるベースの開口縁部からその内部への水滴の侵入を、それら開口縁部に形成された嵌合部によって阻止することができるから、内部への雨水などの浸入を防止することができ、しかも嵌合部を固着する接着剤によって防水効果がさらに高まるから、内部への雨水などの浸入をより好適に防止することができる。これにより、内部に収容される端子などに対し、雨水などによる腐食や絶縁劣化などを防止することができる。
【００３２】
請求項２記載の発明によれば、電源および制御負荷にそれぞれ接続される複数の端子と、周囲の外光を利用して、前記電源に接続される端子と前記制御負荷に接続される端子との接続の開閉を行う開閉機能ブロックと、前面に開口を有する箱状に形成され、前記複数の端子および開閉機能ブロックを内部に収容するベースと、後面に開口を有する箱状に形成され、前記ベースの開口を閉塞する受光カバーと、この受光カバーの前面に取り付けられるカバーとを備え、前記ベースの開口縁部および前記受光カバーの開口縁部には互いに嵌合する嵌合部が形成され、これら嵌合部は超音波溶着によって固着されており、前記カバーは、周囲の外光を取り込むための開口部が形成された第１カバーと、動作確認作業時に前記開口部に填まり当該開口部を閉塞する突条部を有する第２カバーと、前記第１カバーと前記第２カバーの間に設けられて、前記開口部を露出させる位置と前記開口部を閉塞する位置の間で前記第２カバーを移動自在とする可撓部と、前記第１カバーの後面における前記第２カバー側の部位から後方に突出する遮光片とを備えているので、受光カバーおよびカバーによって閉塞されるベースの開口縁部からその内部への水滴の侵入を、それら開口縁部に形成された嵌合部によって阻止することができるから、内部への雨水などの浸入を防止することができる。これにより、内部に収容される端子などに対し、雨水などによる腐食や絶縁劣化などを防止することができる。
【００３３】
請求項３記載の発明によれば、請求項２記載の自動点滅器において、前記ベースの開口縁部および前記受光カバーの開口縁部に形成される嵌合部には、前記ベースの内部に対して少なくとも２重になる超音波溶着部が形成されているので、一の超音波溶着部が例えば不完全溶着に起因して水滴の侵入を完全に阻止することができなかったとしても、少なくとも残りの一つの超音波溶着部によってその水滴の内部への侵入を阻止することが可能となるから、内部への雨水などの浸入をより好適に防止することができる。
【図面の簡単な説明】
【図１】本発明に係る第１実施形態の自動点滅器を左方から見た断面図である。
【図２】図１の自動点滅器の前面（正面）図である。
【図３】図１の自動点滅器の分解斜視図である。
【図４】図１に示すベースおよび受光カバーの嵌合部の拡大図である。
【図５】本発明に係る第２実施形態の自動点滅器におけるベースおよび受光カバーの嵌合部の拡大図である。
【図６】本発明に係る第３実施形態の自動点滅器におけるベースおよび受光カバーの嵌合部の拡大図である。
【符号の説明】
１  端子ブロック
２  開閉機能ブロック
３  ベース
３０  嵌合部
４  受光カバー
４０  嵌合部
５  カバー
６  取付金具
【図１】
0003931584.tif 000002
【図２】
0003931584.tif 000003
【図３】
0003931584.tif 000004
【図４】
0003931584.tif 000005
【図５】
0003931584.tif 000006
【図６】
0003931584.tif 000007